(57)【特許請求の範囲】
【請求項１】
ゴルフクラブヘッドの重量を調整するゴルフクラブヘッド用パーツであって、
基部と、接続部と、重量調整部と、を有し、
前記接続部は、前記基部のフェース側の面に配置され、
前記接続部は、少なくともフェース側に開口する開口部を備え、
前記開口部内に、重量調整部が配置され、
前記重量調整部のバック側の面には、前記接続部よりも薄い第１の両面テープが配置されていることを特徴とするゴルフクラブヘッド用パーツ。
【請求項２】
前記開口部は、前記接続部を貫通する貫通部であることを特徴とする請求項１に記載のゴルフクラブヘッド用パーツ。
【請求項３】
前記重量調整部のフェース側の面には、前記接続部よりも薄い第２の両面テープが配置されていることを特徴とする請求項１又は２に記載のゴルフクラブヘッド用パーツ。
【請求項４】
前記第２の両面テープは、前記接続部のフェース側の面よりも、フェース側の方向に、少なくとも部分的に突出することを特徴とする請求項３に記載のゴルフクラブヘッド用パーツ。
【請求項５】
ゴルフクラブヘッド本体に、請求項１乃至４の何れか一項に記載のゴルフクラブヘッド用パーツを固着したゴルフクラブヘッド。
【請求項６】
ゴルフクラブヘッドの重量を調整するゴルフクラブヘッド用パーツを備えたゴルフクラブヘッドの製造方法であって、
ゴルフクラブヘッド本体の重量を測定する工程と、
測定した前記重量に基づいて、複数の重量調整部の中から１つの重量調整部を選択する工程と、
選択した前記重量調整部を有するゴルフクラブヘッド用パーツを作製する工程と、
作製した前記ゴルフクラブヘッド用パーツを前記ゴルフクラブヘッド本体に固着する工程と、を有し、
前記ゴルフクラブヘッド用パーツを作製する工程では、
基部と、少なくともフェース側に開口する開口部を備えた接続部と、選択した前記重量調整部と、を準備し、
前記基部のフェース側の面に前記接続部を配置し、
前記開口部内に、前記重量調整部を配置することを特徴とするゴルフクラブヘッドの製造方法。
【発明の詳細な説明】
【技術分野】
【０００１】
本発明は、ゴルフクラブヘッド用パーツ、ゴルフクラブヘッド及びその製造方法に関する。
【背景技術】
【０００２】
ゴルフクラブヘッドの製造工程において、製造上のばらつき等により、ゴルフクラブヘッドの重量が公差から外れる場合がある。重量が公差から外れたゴルフクラブヘッドは不良品となるため、ゴルフクラブヘッドの歩留まり向上等を目的として、ゴルフクラブヘッドの重量を調整する構造が検討されている。
【０００３】
しかしながら、従来のゴルフクラブヘッドの重量を調整する構造は複雑であり、より簡易的な構造によりゴルフクラブヘッドの重量を調整することが望まれていた。
【先行技術文献】
【特許文献】
【０００４】
【特許文献１】特表２０１０−５３７７３１号公報
【特許文献２】実登第３１４８６８１号
【発明の概要】
【発明が解決しようとする課題】
【０００５】
本発明は、簡易的な構造によりゴルフクラブヘッドの重量を調整可能とするゴルフクラブヘッド用パーツを提供することを目的とする。
【課題を解決するための手段】
【０００６】
本ゴルフクラブヘッド用パーツは、ゴルフクラブヘッドの重量を調整するゴルフクラブヘッド用パーツであって、基部と、接続部と、重量調整部と、を有し、前記接続部は、前記基部のフェース側の面に配置され、前記接続部は、少なくともフェース側に開口する開口部を備え、前記開口部内に、重量調整部が配置され、前記重量調整部のバック側の面には、前記接続部よりも薄い第１の両面テープが配置されていることを要件とする。
【発明の効果】
【０００７】
開示の技術によれば、簡易的な構造によりゴルフクラブヘッドの重量を調整可能とするゴルフクラブヘッド用パーツを提供できる。
【図面の簡単な説明】
【０００８】
【図１】本実施の形態に係るゴルフクラブヘッドを例示する斜視図である。
【図２】本実施の形態に係るゴルフクラブヘッドを例示する分解斜視図である。
【図３】本実施の形態に係るゴルフクラブヘッドを例示する断面図である。
【図４】本実施の形態に係るゴルフクラブヘッド用パーツをバック側から視た図である。
【図５】本実施の形態に係るゴルフクラブヘッド用パーツをフェース側から視た図である。
【図６】図４のＢ−Ｂ線に沿う断面図である。
【図７】本実施の形態に係るゴルフクラブヘッドの製造方法を例示する工程図である。
【発明を実施するための形態】
【０００９】
以下、図面を参照して、実施の形態の説明を行う。なお、各図面において、同一構成部分には同一符号を付し、重複した説明を省略する場合がある。
【００１０】
［ゴルフクラブヘッド用パーツの構造］
図１は、本実施の形態に係るゴルフクラブヘッドを例示する斜視図であり、ゴルフクラブヘッドを背面側から視た図である。図２は、本実施の形態に係るゴルフクラブヘッドを例示する分解斜視図である。図３は、本実施の形態に係るゴルフクラブヘッドを例示する断面図であり、図１のＡ−Ａ線に沿う断面を示している。図１〜図３において、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１〜図３に示すゴルフクラブヘッド１は、アイアン型のゴルフクラブヘッドであり、本体１０にゴルフクラブヘッド用パーツ２０が固着された構造とされている。本体１０は、フェース部１１と、バック部１２と、ソール部１３と、ホゼル部１４とを有している。本体１０は、例えば、軟鉄、ステンレス、チタン、アルミニウム、クロムモリブデン鋼等の金属材料を用いて形成することができる。
【００１２】
フェース部１１は、打撃面となるフェース面１１ｆを備えた部分である。なお、フェース部１１は所定の厚みを有しており、フェース面１１ｆはフェース部１１の外面をなしている。バック部１２は、ゴルフクラブヘッド１の背面を形成する部分である。ソール部１３は、ゴルフクラブヘッド１の底部を形成する部分である。ホゼル部１４は、シャフトと連結される部分である。
【００１３】
フェース部１１の背面１１ｈ側には、ゴルフクラブヘッド用パーツ２０が固着されている。ゴルフクラブヘッド用パーツ２０は、ゴルフクラブヘッド１の重量を調整するために、重量を選択して取り付けられた重量調整組立体である。ゴルフクラブヘッド用パーツ２０は、基部２１と、接続部２２と、重量調整部２３とを有している。また、重量調整部２３の両面には第１の両面テープ２５及び第２の両面テープ２６が配置されている。なお、図２において、便宜上、第１の両面テープ２５を梨地模様で示している（後述の図５の第２の両面テープ２６についても同様）。
【００１４】
図１〜図３に加え図４〜図６を参照しながら、ゴルフクラブヘッド用パーツ２０について詳説する。図４は、本実施の形態に係るゴルフクラブヘッド用パーツをバック側から視た図である。図５は、本実施の形態に係るゴルフクラブヘッド用パーツをフェース側から視た図である。図６は、図４のＢ−Ｂ線に沿う断面図である。なお、図４〜図６において、便宜上、実際とは異なる縮尺で描かれている部分がある。
【００１５】
基部２１は、弾性体２１１と銘板２１２とが接着剤等により接合されたものである。弾性体２１１は、例えば、樹脂やゴム等から形成することができる。また、銘板２１２は、例えば、金属や樹脂等から形成することができる。本実施の形態では、基部２１は、弾性体２１１と銘板２１２の２つの部材から構成されているが、例えば、１つの部材でのみ構成されてもよい。
【００１６】
基部２１のトップ−ソール方向の寸法Ｌ１は、例えば、１０〜６０ｍｍとすることができる。基部２１のトウ−ヒール方向の寸法Ｌ２は、例えば、３０〜８０ｍｍとすることができる。
【００１７】
接続部２２は、基部２１のフェース側の面２１ｆに配置されている。フェース側から視た接続部２２の形状は、基部２１の形状と略同一である。接続部２２としては、例えば、両面テープを用いることができる。接続部２２を両面テープにすることで、より簡易的な構造にすることができる。両面テープの一例としては、３Ｍ社製の両面テープを挙げることができる。接続部２２の厚さは、例えば、０．４〜３ｍｍとすることができる。
【００１８】
なお、接続部２２として、金属、樹脂、ゴム等を用いてもよく、その場合には、接続部２２のフェース側の面に比較的薄肉の両面テープを貼り付ければよい。
【００１９】
接続部２２の中央部近傍には開口部２２ｘが形成されている。開口部２２ｘは、接続部２２を貫通する貫通部としてもよいし、フェース部１１側に開口する有底の凹部としてもよい。フェース側から視た開口部２２ｘの形状は、本実施の形態では四角形であるが、例えば、円形、楕円形、多角形等のその他の形状にしてもよい。
【００２０】
開口部２２ｘのトップ−ソール方向の寸法Ｌ３は、例えば、５〜２０ｍｍとすることができる。開口部２２ｘのトウ−ヒール方向の寸法Ｌ４は、例えば、１０〜４０ｍｍとすることができる。
【００２１】
開口部２２ｘの位置を変えることにより、ゴルフクラブヘッド１の重心の位置を変えることができる。具体的には、開口部２２ｘの位置をソール側に移動することによりゴルフクラブヘッド１の重心の位置を下げることができ、トップ側に移動することによりゴルフクラブヘッド１の重心の位置を上げることができる。
【００２２】
なお、本実施の形態では、開口部２２ｘが接続部２２を貫通する貫通部である場合を例にして、以降の説明を行う。
【００２３】
接続部２２の開口部２２ｘ（貫通部）内には、開口部２２ｘと略同形状の重量調整部２３が配置されている。より詳しくは、重量調整部２３のバック側の面２３ｂには第１の両面テープ２５が配置されており、重量調整部２３は第１の両面テープ２５を介して、開口部２２ｘ内に露出する基部２１のフェース側の面２１ｆに固着されている。重量調整部２３の材質としては、例えば軟鉄、ステンレス、チタン、アルミニウム、タングステン、銅等の金属材料を用いることができるが、樹脂材料等を用いてもよい。
【００２４】
また、重量調整部２３の比重を、ゴルフクラブヘッド１の比重よりも大きくすることで、より効果的に重量を調整することができる。
【００２５】
重量調整部２３のフェース側の面２３ｆには第２の両面テープ２６が配置されている。第２の両面テープ２６は、接続部２２のフェース側の面２２ｆよりも、フェース部１１方向に、少なくとも部分的に突出する部分を備えていてもよい。なお、接続部２２として両面テープを用い、接続部２２のみで十分な接着力を確保できる場合には、第２の両面テープ２６は設けなくてもよい。
【００２６】
第２の両面テープ２６のフェース側の面２６ｆ、及び接続部２２のフェース側の面２２ｆが、フェース部１１の背面１１ｈに固着される。この際、第２の両面テープ２６が、接続部２２のフェース側の面２２ｆよりも、フェース部１１方向に、少なくとも部分的に突出する部分を備えている場合でも、固着時に押圧されるため、固着後は、第２の両面テープ２６のフェース側の面２６ｆと、接続部２２のフェース側の面２２ｆとは、略面一となる。
【００２７】
第１の両面テープ２５と第２の両面テープ２６の一例としては、３Ｍ社製の両面テープを挙げることができる。第１の両面テープ２５と第２の両面テープ２６のそれぞれの厚さは、例えば、０．０５〜１ｍｍとすることができる。
【００２８】
［ゴルフクラブヘッドの製造方法］
図７は、本実施の形態に係るゴルフクラブヘッドの製造方法を例示する工程図である。まず、ステップＳ１０１では、ゴルフクラブヘッド用パーツ２０が固着されていないゴルフクラブヘッド１の本体１０を準備する。次に、ステップＳ１０２では、本体１０の重量を測定する。次に、ステップＳ１０３では、ステップＳ１０２で測定した本体１０の重量と、予め設定された本体１０の目標重量との差分重量を算出する。
【００２９】
次に、ステップＳ１０４では、重量が段階的に異なる複数の重量調整部２３を準備し、その中からステップＳ１０３で算出した差分重量に最も近い重量調整部２３を１つ選択する。次に、ステップＳ１０５では、基部２１を準備し、基部２１のフェース側の面２１ｆに両面テープである接続部２２を貼り付ける。なお、接続部２２には、予め所定位置に開口部２２ｘが設けられている。
【００３０】
次に、ステップＳ１０６では、ステップＳ１０４で選択した重量調整部２３のバック側の面２３ｂに第１の両面テープ２５を貼り付ける。次に、ステップＳ１０７では、第１の両面テープ２５を貼り付けた重量調整部２３を接続部２２の開口部２２ｘ内に挿入し、第１の両面テープ２５を介して、基部２１のフェース側の面２１ｆに貼り付ける。次に、ステップＳ１０８では、接続部２２の開口部２２ｘ内に挿入した重量調整部２３のフェース側の面２３ｆに第２の両面テープ２６を貼り付ける。ここまでの工程により、ゴルフクラブヘッド用パーツ２０が完成する。
【００３１】
次に、ステップＳ１０９では、ゴルフクラブヘッド用パーツ２０の第２の両面テープ２６のフェース側の面２６ｆ、及び接続部２２のフェース側の面２２ｆを、本体１０のフェース部１１の背面１１ｈに固着する。この際、基部２１をフェース部１１側に押圧する。
【００３２】
第２の両面テープ２６が、接続部２２のフェース側の面２２ｆよりも、フェース部１１方向に、少なくとも部分的に突出する部分を備えている場合には、第１の両面テープ２５及び第２の両面テープ２６が圧縮され、第２の両面テープ２６のフェース側の面２６ｆと接続部２２のフェース側の面２２ｆとが略面一となった状態で、ゴルフクラブヘッド用パーツ２０が本体１０のフェース部１１の背面１１ｈに固着される。
【００３３】
以上の工程により、ゴルフクラブヘッド用パーツ２０が本体１０に固着されたゴルフクラブヘッド１が完成する。
【００３４】
ゴルフクラブヘッドでは、重量の公差が規定されているが、製造上のばらつきにより、ゴルフクラブヘッドの重量が公差から外れる場合がある。本実施の形態では、予め重量が段階的に異なる複数の重量調整部２３を準備し、その中から適切な重量調整部２３を選択してゴルフクラブヘッド用パーツ２０を作製する。そして、作製したゴルフクラブヘッド用パーツ２０を本体１０に貼り付けることにより、ゴルフクラブヘッド１の重量が公差から外れることを防止し、ゴルフクラブヘッド１の歩留まりを向上することができる。なお、確実に調整できるようにするため、本体１０の重量が軽くなる方向にばらつくように設計してもよい。
【００３５】
重量調整部２３を選択することにより、ゴルフクラブヘッド１の重量を調整できるため、簡易的な構造により、ゴルフクラブヘッド１のバランスを容易に調整可能となる。また、製造上だけではなく、例えば、ユーザーがゴルフクラブヘッドの重量や重心を意図的に調整するために、ゴルフクラブヘッド用パーツ２０を使用してもよい。
【００３６】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００３７】
例えば、上記の実施の形態では開口部２２ｘは１つであるが、複数にしてもよい。その場合、各開口部に配置する重量調整部の比重を同一にしてもよいし、ゴルフクラブヘッドの重心を調整するために各開口部に配置する重量調整部の比重を異ならせてもよい。
【００３８】
また、上記の実施の形態では、重量調整用のゴルフクラブヘッド用パーツをアイアン型のゴルフクラブヘッドに固着する例を示したが、ゴルフクラブヘッド用パーツはドライバーやフェアウェイウッド、ユーティリティ等のウッド型のゴルフクラブヘッドに固着してもよい。この場合には、簡易な構造により、ウッド型のゴルフクラブヘッドの重量調整が可能となり、ヘッド重量のばらつきを低減できる。又、ウッド型のゴルフクラブヘッドの重量を調整することで、容易にバランス調整することが可能となる。
【符号の説明】
【００３９】
１  ゴルフクラブヘッド
１０  本体
１１  フェース部
１１ｆ  フェース面
１１ｈ  フェース部の背面
１２  バック部
１３  ソール部
１４  ホゼル部
２０  ゴルフクラブヘッド用パーツ
２１  基部
２２  接続部
２２ｘ  開口部
２３  重量調整部
２５  第１の両面テープ
２６  第２の両面テープ
２１１  弾性体
２１２  銘板
【図１】
0006758926.tif 000002
【図２】
0006758926.tif 000003
【図３】
0006758926.tif 000004
【図４】
0006758926.tif 000005
【図５】
0006758926.tif 000006
【図６】
0006758926.tif 000007
【図７】
0006758926.tif 000008